(57)【特許請求の範囲】
【請求項１】
１フレームを複数のサブフィールドに時分割し、入力映像信号の輝度レベルに対応したサブフィールドを発光して多階調画像を表示する表示装置において、フレーム間における動画素の移動方向と移動量を表す信号に基づいて、複数のサブフィールドの動画素についての補正表示データ及び補正位置データを作成して出力する動き補正回路と、この動き補正回路から補正位置データが出力していないときには、入力映像データを表示データとして選択し、前記動き補正回路から補正位置データが出力しているときには、前記補正表示データを補正位置における表示データとして選択する第１選択回路と、現フレームと次フレームの映像データに基づいて画素単位で静止画を検出する静止画検出回路と、この静止画検出回路の検出信号に基づいて前記動き補正回路に入力する動画素の移動方向と移動量を表す信号にマスクをかける禁止回路とを具備してなることを特徴とする表示装置の動画補正回路。
【請求項２】
１フレームを複数のサブフィールドに時分割し、入力映像信号の輝度レベルに対応したサブフィールドを発光して多階調画像を表示する表示装置において、フレーム間における動画素の移動方向と移動量を表す信号に基づいて、複数のサブフィールドの動画素についての補正表示データ及び補正位置データを作成して出力する動き補正回路と、この動き補正回路から補正位置データが出力していないときには、入力映像データを表示データとして選択し、前記動き補正回路から補正位置データが出力しているときには、前記補正表示データを補正位置における表示データとして選択する第１選択回路と、前記動き補正回路による動き補正で空いた動画素跡地領域を示す信号を作成して出力する跡地領域指示回路と、この跡地領域指示回路から信号が出力していないときには、前記第１選択回路で選択した表示データを選択し、前記跡地領域指示回路から信号が出力しているときには、次フレームの表示データを選択する第２選択回路と、現フレームと次フレームの映像データに基づいて画素単位で静止画を検出する静止画検出回路と、この静止画検出回路の検出信号に基づいて前記動き補正回路に入力する動画素の移動方向と移動量を表す信号にマスクをかける禁止回路とを具備してなることを特徴とする表示装置の動画補正回路。
【請求項３】
跡地領域指示回路は、現フレームの動画素について動き補正回路から出力する補正位置データの反転信号を出力するノット回路と、このノット回路の出力信号と、現フレームの動画素の動きフラグとの論理積信号を出力するアンド回路とからなる請求項２記載の表示装置の動画補正回路。
【発明の詳細な説明】
【０００１】
【発明の属する技術分野】
本発明は、１フレームを複数のサブフィールド（又はサブフレーム）に時分割し、入力映像信号の輝度レベルに対応したサブフィールドを発光して多階調画像を表示する表示装置の動画補正回路に関するものである。
【０００２】
【従来の技術】
最近、薄型、軽量の表示装置として、ＰＤＰ（プラズマディスプレイパネル）やＬＣＤＰ（液晶ディスプレイパネル）が注目されている。このＰＤＰの駆動方式は、従来のＣＲＴ駆動方式とは全く異なっており、ディジタル化された入力映像信号による直接駆動方式である。したがって、パネル面から発光される輝度階調は、扱う信号のビット数によって定まる。
【０００３】
ＰＤＰは、基本的特性の異なるＡＣ型とＤＣ型の２方式に分けられる。ＡＣ型ＰＤＰでは、輝度と寿命については十分な特性が得られているが階調表示に関しては、試作レベルで最大６４階調表示までの報告しかなかったが、アドレス・表示分離型駆動法（ＡＤＳサブフィールド法）による将来の２５６階調の手法が提案されている。
この方法に使用されるＰＤＰの駆動シーケンスと駆動波形が図２（ａ）（ｂ）に示される。
【０００４】
図２（ａ）において、例えば、８ビット、２５６階調の場合、１フレームは、輝度の相対比が１、２、４、８、１６、３２、６４、１２８の８個のサブフィールドＳＦ１、ＳＦ２、ＳＦ３、ＳＦ４、ＳＦ５、ＳＦ６、ＳＦ７、ＳＦ８で構成され、８画面の輝度の組み合わせで２５６階調の表示を行うものとする。
【０００５】
図２（ｂ）において、それぞれのサブフィールドは、リフレッシュした１画面分のデータの書込みを行うアドレス期間とそのサブフィールドの輝度レベルを決めるサスティン期間で構成される。アドレス期間では、最初全画面同時に各ピクセルに初期的に壁電荷が形成され、その後サスティンパルスが全画面に与えられ表示を行う。サブフィールドの明るさはサスティンパルスの数に比例し、所定の輝度に設定される。このようにして２５６階調表示が実現される。
【０００６】
【発明が解決しようとする課題】
上述のようなアドレス・表示分離型駆動方式の表示装置は、従来、図３（ａ）に示すように構成され、入力端子１０に入力した映像信号を、データ変換回路１２によって、各フレーム毎に複数のサブフレームＳＦｎ〜ＳＦ１に時分割した表示データに変換してＰＤＰ１４に出力し、このＰＤＰ１４で多階調画像を表示するようにしていた。しかしながら、図３（ａ）に示した従来例では、動画表示時の画像を補正するための特別な処理を行っておらず、同じような駆動方法で動画表示と静止画表示を行っていたので、動画表示時において、動画の移動方向に視覚的な表示ずれが拡がって生じ、画質が著しく低下するという問題があった。
【０００７】
すなわち、説明の便宜上、図３（ｂ）に示すように、１フレームを４個のサブフィールドＳＦ４〜ＳＦ１に時分割し、４ビット、１６階調表示をするＰＤＰ１４において、入力端子１０に入力した輝度レベル１５の映像信号に係る動画素が１フレームに５ドットの割合で所定方向（例えば画面の上方向）へ移動している場合について考える。図３（ａ）の従来例では、各フレームのサブフィールドＳＦ４〜ＳＦ１の表示位置が、同一フレームでは画面上の同一画素（例えば同一ドット）であるので、各フレームのサブフィールドＳＦ４〜ＳＦ１の発光の時間（横軸）とＰＤＰ１４の画面上の動画素の表示位置（発光位置）（縦軸）との関係を概念的に示すと、図４に示すようになる。
【０００８】
図４において、矩形は大きい順に８、４、２、１の重みを持ったサブフィールドＳＦ４、ＳＦ３、ＳＦ２、ＳＦ１を表わし、右上がりのハッチング線が入った矩形は各フレームの発光しているサブフィールドＳＦ４〜ＳＦ１を表わす。また、斜めに走る線Ａ、Ｂは、人間がドットの動きを眼で追う軌跡を示し（視覚は動くものを注視する性質があるので）、表示ずれの最大ずれ幅ＺＭが大きいことを示している。
【０００９】
この最大ずれ幅ＺＭは、動画素の移動速度に比例し、輝度レベル（点灯レベル）によって変化する。また、モノクロ表示の場合、上述の表示ずれは「ぼやけ」として現われ、カラー表示の場合、各色間のレベル差があるため、それぞれのずれ幅が異なり、色ずれとなって現われる（色の擬似輪郭が現われる）。
【００１０】
本出願人は、上述の問題を解決するための提案（特願平７−３１７５０８）を、既におこなっている。この既提案の発明は、原理的には図５に示す回路で表されたものとほぼ同様である。
この図５に示す回路は、入力端子２０に順次結合された１フレーム遅延回路２２及び選択回路２４と、動き補正回路２６とからなり、選択回路２４の出力側は出力端子２８を介してＰＤＰ（図示省略）に結合されている。
【００１１】
そして、データ変換回路（図示省略）によって入力映像信号が各フレーム毎に複数のサブフレームＳＦｎ〜ＳＦ１に時分割され、映像データに変換されて入力端子２０に入力すると、この入力映像データは１フレーム遅延回路２２で１フレーム遅延して選択回路２４の一方の入力側に入力する。動き補正回路２６には、動き検出回路（図示省略）で検出された動画素のフレーム間の移動方向と移動量を表す信号（以下、動きベクトルという）と、動きベクトルの大きさが設定値（例えば０ドット／フレーム又は２ドット／フレーム）を超えているか否かを表す動きフラグとが入力する。
【００１２】
動き補正回路２６は、この動きベクトルと動きフラグに基づいて、入力端子２０に入力した表示データのうちの動画素について補正表示データ及び補正位置データを作成し、選択回路２４の一方の入力側へ入力する映像データと入力タイミングを一致させて、選択回路２４に出力する。この選択回路２４は、動き補正回路２６から出力する補正位置データに基づいて、現フレームの複数のサブフィールドの表示データを、そのうちの動画素についての表示データを補正表示データで置き換え、出力端子２８を介してＰＤＰへ出力する。
【００１３】
このため、図３（ｂ）に示すように、１フレームを４個のサブフィールドＳＦ４〜ＳＦ１に時分割し、４ビット、１６階調表示をするＰＤＰにおいて、入力端子１０に入力した輝度レベル１５の映像信号に係る動画素が１フレームに５ドットの割合で所定方向（例えば画面の上方向）へ移動している場合について考えると、図６に示す概念図の斜めの実線ａ、ｂで示す軌跡上（動画素を眼で追う軌跡上）にサブフィールドＳＦ４〜ＳＦ１の発光が乗るように、サブフィールドＳＦ４〜ＳＦ１の表示位置が補正される。
【００１４】
すなわち、サブフィールドＳＦ４については、その表示位置を上方向（図中の縦軸方向）に０ドット移動し（すなわち移動させず）、サブフィールドＳＦ３については、その表示位置を上方向に２ドット移動し、サブフィールドＳＦ２、ＳＦ１については、その表示位置を上方向にそれぞれ３、４ドット移動するための補正表示データが設定される。このため、表示ずれの最大ずれ幅ｚｍを従来例（ＺＭ）の半分以下にすることができ、モノクロ表示の場合の「ぼやけ」やカラー表示の場合の色ずれ（色の擬似輪郭）を抑制することができる。
【００１５】
しかしながら、図５に示した回路では、動き補正回路２６に入力する動きベクトルが、動き検出回路でｎ×ｍドット（ｎ、ｍは２以上の整数で、例えばｎ＝ｍ＝８）を単位ブロックＵＢとして検出されていたので、動画の輪郭部分に位置する静止画部分も動画として判断されて動き補正回路２６で補正されていたので、動画の輪郭部分が滑らかに表現できないという問題点があった。
例えば、図７に示すようなリング状の動画ＭＰを補正する場合、ｎ×ｍドットを単位ブロックＵＢとして動画ＭＰの動きベクトルを検出していたので、これらの単位ブロックＵＢのうちの動画ＭＰが存在しない部分（ハッチングで表示）が、静止画素であるにもかかわらず動画として補正され、動画ＭＰの輪郭部分が滑らかに表現できないという問題点があった。
【００１６】
本発明は、上述の問題点に鑑みてなされたもので、１フレームを複数のサブフィールドに時分割し、入力映像信号の輝度レベルに対応したサブフィールドを発光して多階調画像を表示する表示装置において、動画表示時に発生する視覚的な表示ずれを小さくして画質の低下を防止する補正ができ、しかも、補正した動画の輪郭部分を滑らかに表現できるようにすることを目的とする。
必要に応じて、補正でできた画像のない跡地領域を表示データで埋めて違和感のない映像を表示できるようにするものである。
【００１７】
【課題を解決するための手段】
本発明による動画補正回路は、１フレームを複数のサブフィールドに時分割し、入力映像信号の輝度レベルに対応したサブフィールドを発光して多階調画像を表示する表示装置において、フレーム間における動画素の移動方向と移動量を表す信号に基づいて、複数のサブフィールドの動画素についての補正表示データ及び補正位置データを作成して出力する動き補正回路と、この動き補正回路から補正位置データが出力していないときには、入力映像データを表示データとして選択し、動き補正回路から補正位置データが出力しているときには、補正表示データを補正位置における表示データとして選択する第１選択回路と、現フレームと次のフレーム（以下単に次フレームという）の映像データに基づいて画素単位で静止画を検出する静止画検出回路と、この静止画検出回路の検出信号に基づいて動き補正回路に入力する動画素の移動方向と移動量を表す信号にマスクをかける禁止回路とを具備してなることを特徴とする。
【００１８】
１フレームをｎ個のサブフィールドＳＦｎ〜ＳＦ１に時分割し、入力映像信号の多階調画像を表示する場合について考えると、フレーム間における動画素の移動方向（例えば画面の上方向）と移動量（例えば１フレームに５ドット）を検出し、この検出出力に基づいて各フレームのｎ個のサブフィールドＳＦｎ〜ＳＦ１の表示位置を補正する。このように、各フレーム毎に動画素の移動方向と移動量に応じてサブフィールドＳＦｎ〜ＳＦ１の表示位置を補正しているので、動画素を見る人間の眼の軌跡上にサブフィールドＳＦｎ〜ＳＦ１の表示位置を乗せることができる。
しかも、静止画検出回路が画素単位で静止画を検出し、この検出信号に基づいて禁止回路が動き補正回路に入力する動画素の移動方向と移動量を表す信号にマスクをかけているので、静止画素について動き補正することがなく、補正した動画の輪郭部分を滑らかに表現できる。
【００１９】
また、動き補正回路による動き補正で空いた動画素跡地領域を示す信号を作成して出力する跡地領域指示回路と、この跡地領域指示回路から信号が出力していないときには、第１選択回路で選択した表示データを選択し、跡地領域指示回路から信号が出力しているときには、次フレームの表示データを選択する第２選択回路とを設けるようにした場合には、動画素の表示位置補正で空き領域となった現フレームの動画素の跡地領域を、次フレームの表示データで埋め立てて、不連続な映像をなくすことができる。
【００２０】
【発明の実施の形態】
図１は本発明による表示装置の動画補正回路の一実施形態例を示す。
図１において図５と同一部分は同一符号とする。図１において、２０は入力端子で、この入力端子２０には、１フレーム遅延回路２２、第１選択回路２４及び第２選択回路３２が順次結合され、この第２選択回路３２の出力側は出力端子２８を介して表示装置（例えばＰＤＰ）（図示省略）に結合されている。
【００２１】
２３は静止画検出回路で、この静止画検出回路２３は、前記入力端子２０に入力した次フレームの映像信号と前記１フレーム遅延回路２２から出力した映像データに基づいて、画素単位で静止画を検出するように構成されている。
２５は禁止回路で、この禁止回路２５は、前記静止画検出回路２３の検出信号に基づいて、動き検出回路（図示省略）で検出された動きベクトルと動きフラグにマスクをかけて出力するように構成されている。すなわち、動きベクトルは単位ブロックＵＢ（例えば８×８ドット）毎に検出されるが、各単位ブロックＵＢ内の各静止画素については静止画検出回路２３の検出信号で動きベクトルと動きフラグが禁止される。
【００２２】
２６は動き補正回路で、この動き補正回路２６は、前記禁止回路２５を介して入力する動きベクトルと動きフラグとに基づいて、入力端子２０に入力した映像データのうちの動画素について補正表示データ及び補正位置データを作成し、第１選択回路２４に出力するように構成されている。
前記第１選択回路２４は、前記動き補正回路２６から補正位置データが出力していないときには、前記１フレーム遅延回路２２から出力する表示データを選択し、前記動き補正回路２６から補正位置データが出力しているときには、前記動き補正回路２６から出力する補正表示データを補正位置における表示データとして選択するように構成されている。
【００２３】
３４は前記動き補正回路２６による補正でできた動画素跡地領域を示す信号を作成して出力する跡地領域指示回路で、この跡地領域指示回路３４はノット回路３６とアンド回路３８からなっている。３９は１フレーム遅延回路で、この１フレーム遅延回路３９は動き検出回路（図示省略）から出力する動きフラグに前記禁止回路２４でマスクをかけた信号を１フレーム遅延させて出力するように構成されている。
【００２４】
前記ノット回路３６は、前記動き補正回路２６から出力する補正位置データを反転して出力するように構成されている。前記アンド回路３８は、前記１フレーム遅延回路３９から出力する現フレームの動きフラグと前記ノット回路３６の出力信号との論理積信号を出力するように構成されている。
前記動きフラグは、動き検出回路の出力する動きベクトルの大きさが０を超えているか否かを、Ｈ、Ｌレベル信号で示すものである。
【００２５】
前記第２選択回路３２は、前記アンド回路３８から信号が出力していないとき（例えばＬレベル信号）には、前記第１選択回路２４で選択した現フレームの表示データを選択し、前記アンド回路３８から信号が出力しているとき（例えばＨレベル信号）には、前記入力端子２０に入力した次フレームの映像データを表示データとして選択し、出力端子２８を介してＰＤＰ（図示省略）へ出力するように構成されている。
【００２６】
つぎに、図１の作用について、図６を併用して説明する。
説明の便宜上、１フレームを４個のサブフィールドＳＦ４〜ＳＦ１に時分割し（すなわちｎ＝４）、４ビット、１６階調表示をするＰＤＰにおいて、輝度レベル１５の入力映像信号に係る動画素が１フレームに５ドットの割合で所定方向へ移動している場合（すなわち動きベクトルの大きさが５ドット／フレームの場合）について考える。また、動き検出回路から出力する動きフラグは、動きベクトルの大きさが０を超えているときにはＨレベルの信号となり、０のときはＬレベルの信号となるものとする（すなわち設定値＝０ドット／フレーム）。
【００２７】
データ変換回路（図示省略）によって、入力映像信号が各フレーム毎に複数のサブフレームＳＦｎ〜ＳＦ１に時分割され、映像データに変換されて入力端子２０に入力すると、この入力映像データはタイミング調整用の１フレーム遅延回路２２で１フレーム遅延され、第１選択回路２４の一方の入力側に入力する。
動き補正回路２６は、禁止回路２５を介して入力した動きベクトルと動きフラグに基づいて、入力端子２０に入力した映像データのうちの動画素についての補正表示データ及び補正位置データを作成し、入力時から１フレーム遅延したタイミングで第１選択回路２４へ出力する。
【００２８】
静止画検出回路２３は、入力端子２０に入力した次フレームの映像データと１フレーム遅延回路２２から出力した現フレームの映像データに基づいて、画素単位で静止画を検出し、禁止回路２５は、静止画検出回路２３の検出信号に基づいて、動きベクトルと動きフラグにマスクをかけて出力する。すなわち、単位ブロックＵＢ毎に検出された動きベクトルと動きフラグがある場合にも、単位ブロックＵＢ内の各静止画素について静止画検出回路２３の検出信号で動きベクトルと動きフラグが禁止され、動き補正回路２６に入力しない。
【００２９】
第１選択回路２４は、動き補正回路２６から補正位置データが出力していないときには、１フレーム遅延回路２２から出力する表示データを選択し、動き補正回路２６から補正位置データが出力しているときには、動き補正回路２６から出力する補正表示データを補正位置における表示データとして選択して第２選択回路３２の一方の入力側に出力する。すなわち、１フレーム遅延回路２２から出力する表示データのうち、動き補正された動画素部分についてのみ補正表示データで置き換えた信号を、表示データとして第２選択回路３２の一方の入力側に出力する。第２選択回路３２の他方の入力側には、入力端子２０に入力した映像データが入力している。
【００３０】
跡地領域指示回路３４は、ノット回路３６が動き補正回路２６から出力する現フレームの補正位置データの反転信号を出力し、アンド回路３８が１フレーム遅延回路３９から出力する現フレームの動きフラグと、ノット回路３６の出力信号との論理積信号を第２選択回路３２に出力する。このアンド回路３８の出力信号は、動き補正回路２６の補正でできた動画素跡地領域を示す信号となる。すなわち、現フレームのサブフィールドの動画素表示位置補正後の動画素のない領域と、現フレームのサブフィールドの動画素表示位置補正前の動画素のあった領域との論理積領域を示す信号となる。
【００３１】
第２選択回路３２は、アンド回路３８から信号が出力していないとき（Ｌレベル信号）には、第１選択回路２４で選択した現フレームの表示データを選択し、アンド回路３８から信号が出力しているとき（Ｈレベル信号）には、入力端子２０に入力した次フレームの表示データを選択し、出力端子２８を介してＰＤＰへ出力する。
【００３２】
このため、動画素の移動方向が画面の上方向で、その移動量が５ドット／フレームのときには、図６に示す概念図の斜めの実線ａ、ｂで示す軌跡上（動画素を眼で追う軌跡上）にサブフィールドＳＦ４〜ＳＦ１の発光が乗るように、サブフィールドＳＦ４〜ＳＦ１の表示位置を補正したデータが設定される。すなわち、サブフィールドＳＦ４については、その表示位置を上方向（図中の縦軸方向）に０ドット移動し（すなわち移動させず）、サブフィールドＳＦ３については、その表示位置を上方向に２ドット移動し、サブフィールドＳＦ２、ＳＦ１については、その表示位置を上方向にそれぞれ３、４ドット移動するための補正表示データが設定される。したがって、表示ずれの最大ずれ幅ｚｍを従来例（ＺＭ）の半分以下にすることができ、モノクロ表示の場合の「ぼやけ」やカラー表示の場合の色ずれ（色の擬似輪郭）を抑制することができる。
【００３３】
しかも、静止画検出回路２３が画素単位で静止画を検出し、この検出信号に基づいて禁止回路２５が動き補正回路２６に入力する動きベクトルと動きフラグにマスクをかけているので、動き補正回路２６が静止画素について動き補正することがなくなり、動き補正回路２６で補正した動画の輪郭部分を滑らかに表現できる。
【００３４】
その上、動画素表示位置補正で空きとなった現フレームの動画素の跡地領域を、次フレームの表示データで埋め立てて、不連続な映像をなくし、滑らかな違和感の無い映像を表示できる。すなわち、現フレームの動画素のサブフィールドＳＦ３の表示位置が上方向に２ドット移動してできた空き領域は、次フレームの対応した静止画素（背景画素）で埋め立てられ、現フレームの動画素のサブフィールドＳＦ２、ＳＦ１の表示位置が上方向にそれぞれ３、４ドット移動してできた空き領域は、次フレームの対応した静止画素（背景画素）で埋め立てられるので、不連続な映像をなくし、滑らかな違和感の無い映像を表示できる。
【００３５】
前記実施形態例では、跡地領域指示回路と第２選択回路とを設けて、動画素の表示位置補正で空き領域となった現フレームの動画素の跡地領域を、次フレームの表示データで埋め立てて、不連続な映像をなくすことができる回路に本発明を利用した場合について説明したが、本発明はこれに限るものでなく、跡地領域指示回路と第２選択回路を省略した回路についても利用することができる。例えば、図５に示した既提案の回路に静止画検出回路と禁止回路を設けて、動き補正回路２６が静止画素について動き補正することをなくし、動き補正回路２６で補正した動画の輪郭部分を滑らかに表現できるようにしてもよい。
【００３６】
前記実施形態例では、動きフラグを、動きベクトルの大きさが０を超えているか否かに基づいてＨ、Ｌレベル信号となるように設定（すなわち設定値＝０ドット／フレーム）した場合について説明したが、本発明はこれに限るものでなく、動きベクトルの大きさが２ドットを超えているか否かに基づいてＨ、Ｌレベル信号となるように設定（すなわち設定値＝２ドット／フレーム）した場合についても利用することができる。例えば、動きの小さい動画素（例えば移動量が２ドット／フレーム以下の画素）については動き補正をせずに、動きの大きい動画素（例えば移動量が２ドット／フレームを超える画素）については動き補正及び空き領域の埋立て補正をするようにしたものについても利用することができる。
【００３７】
前記実施形態例では、表示装置がＰＤＰの場合について説明したが、本発明はこれに限るものでなく、ＬＣＤの場合について利用することができる。
【００３８】
【発明の効果】
本発明による動画補正回路は、動き補正回路及び第１選択回路を具備し、フレーム間における動画素の移動方向（例えば画面の上方向）と移動量（例えば１フレームに５ドット）に基づいて、各フレームのｎ個のサブフィールドＳＦｎ〜ＳＦ１の表示位置を補正するように構成したので、動画素を見る人間の眼の軌跡上にサブフィールドＳＦｎ〜ＳＦ１の表示位置を乗せることができ、動画表示時のサブフィールド間の映像のずれ幅を狭くして視覚的な表示ずれを小さくし、画質の低下を防止することができる。
しかも、静止画検出回路が画素単位で静止画を検出し、この検出信号に基づいて禁止回路が動き補正回路に入力する動画素の移動方向と移動量を表す信号にマスクをかけているので、静止画素について動き補正することがなく、補正した動画の輪郭部分を滑らかに表現できる。
【００３９】
また、跡地領域指示回路と第２選択回路を設けて、現フレームの複数のサブフィールドＳＦｎ〜ＳＦ１の表示データのうちの動画素跡地領域の表示データに、次フレームの表示データを選択するようにした場合には、動画素の表示位置補正で空き領域となった現フレームの動画素の跡地領域を、次フレームの表示データで埋め立てて不連続な映像をなくし、滑らかな違和感の無い映像を表示できる。
【図面の簡単な説明】
【図１】本発明による表示装置の動画補正回路の一実施形態例を示すブロック図である。
【図２】サブフィールド点灯方式を説明するもので、（ａ）は２５６階調の手法における駆動シーケンスの説明図、（ｂ）は駆動波形図である。
【図３】従来例を示すもので、（ａ）は装置のブロック図、（ｂ）はサブフィールド法による１６階調表示における駆動シーケンスの説明図である。
【図４】図３の作用を概念的に説明する図である。
【図５】本出願人による既提案の動画補正回路と原理がほぼ同一の回路のブロック図である。
【図６】図５の作用を概念的に説明する図である。
【図７】図５の回路で動画素の動き補正を行ったときに、動きベクトルが単位ブロックで検出されることにより、動画ＭＰの輪郭部が滑らかに表現できない状態を説明する図である。
【符号の説明】
１０、２０…入力端子、  １２…データ変換回路、  １４…ＰＤＰ（表示装置の一例）、  ２２、３９…１フレーム遅延回路、  ２３…静止画検出回路、  ２４、３２…選択回路、  ２５…禁止回路、  ２６…動き検出回路、  ２８…出力端子、  ３４…跡地領域指示回路、  ３６…ノット回路、  ３８…アンド回路、Ａ、Ｂ、ａ、ｂ、ｃ、ｄ…ドットの動きを眼で追う軌跡を表わす直線、  ＭＰ…動画、  ＳＦ１〜ＳＦ４、ＳＦｎ…サブフィールド、  ＵＢ…動きベクトルを検出するときの単位となるブロック（例えば８×８ドット）、  ＺＭ、ｚｍ…最大ずれ幅。
【図１】
0003624600.tif 000002
【図２】
0003624600.tif 000003
【図３】
0003624600.tif 000004
【図４】
0003624600.tif 000005
【図５】
0003624600.tif 000006
【図６】
0003624600.tif 000007
【図７】
0003624600.tif 000008